(57)【要約】【課題】低騒音化が容易にローコストで得られるようにした静止誘導電気機器の低騒音化改造方法を提供すること。【解決手段】改造前の変圧器１における冷却器エレメント２Ａ〜２Ｆに取り付けてある電動ファン３を低騒音型電動ファン３０に装換して低騒音化を行なう際、元からある冷却器エレメント２Ａ〜２Ｆはそのまま残し、これに追加して冷却器エレメント２Ｇを設け、電動ファン３を低騒音型電動ファン３０に装換したことによる通風能力の不足分を、追加した冷却器エレメント２Ｇに取付けてある低騒音型電動ファン３０により補うようにしたもの。【効果】元からある冷却器エレメント２Ａ〜２Ｆが、そのまま再利用された形になるので、安価に低騒音化改造が実現できる。【選択図】  図１
2004253468.tif 000002
【特許請求の範囲】
【請求項１】
静止誘導電気機器の冷却器に備えられている電動ファンを低騒音型の電動ファンに装換して低騒音化を図るようにした静止誘導電気機器の低騒音化改造方法において、
低騒音化改造前からある冷却器に新たな冷却器を追加することにより、電動ファンを低騒音型電動ファンに装換したことによる通風能力を補うようにしたことを特徴とする静止誘導電気機器の低騒音化改造方法。
【請求項２】
請求項１に記載の静止誘導電気機器の低騒音化改造方法において、
前記低騒音改造前からある冷却器が少なくとも２基以上の縦形の冷却器エレメントで構成され、
前記新たに追加される冷却器が前記縦形の冷却器エレメントと略同形で略同寸法の冷却器エレメントで構成されていることを特徴とする静止誘導電気機器の低騒音化改造方法。
【請求項３】
請求項１に記載の静止誘導電気機器の低騒音化改造方法において、
前記低騒音型電動ファンが、前記電動ファンのモータを低回転化したものであることを特徴とする静止誘導電気機器の低騒音化改造方法。
【発明の詳細な説明】
【０００１】
【発明の属する技術分野】
本発明は、冷却ファンを備えた静止誘導電気機器の低騒音化に係り、特に改造による静止誘導電気機器の低騒音化に関する。
【０００２】
【従来の技術】
周知のように、高度経済成長期には、急激な電力需要の伸びに対応して変電設備の高電圧化と大容量化が目覚ましく、それらの建設が堅調な伸びを示すが、バブル経済が崩壊し、景気低迷に入ると、変電設備を対象とした投資にも抑制が掛かり、代わって高経年化した機器の更新、改造による延命と再利用についての需要が高まってくる。
【０００３】
ここで、このような変電設備の更新、改造による延命と再利用の対象となるのは、変電設備の中にある変圧器やリアクトルなどの静止誘導電気機器の低騒音化であるが、その理由は次の通りである。
【０００４】
良く知られているように、変電設備は、なるべく需要家に近い場所に設置するのが配電損失の軽減に有効であり、このことから、都市の近傍や、場合によっては市街地に設置されることもあり、従って、環境保全の見地から、低騒音化が強く望まれるのである。
【０００５】
ところで、この静止誘導電気機器の低騒音化に有効な方法は、当該機器の冷却部に設置されている電動ファンを低騒音化することであるが、このためには、当該電動ファンの回転数（回転速度）を低下させるのが最も簡単である。
【０００６】
ある報告によれば、回転数を半減させると、１０ｄＢから１５ｄＢの低騒音化が得られたとされている。但し、この場合、当然のこととして当該電動ファンの性能が落ち、かなりの通風量の低下が免れない。
【０００７】
そこで、静止誘導電気機器の低騒音化には、このように回転数を落として低騒音化を図った電動ファン、いわゆる低騒音型電動ファンを用いるのが一般的であり、そこで、このような低騒音型電動ファンを用いた静止誘導電気機器の低騒音化改造方法の従来技術について、図２により説明する。
【０００８】
ここで、この図２の例は、いわゆる送油風冷式の変圧器を対象とした場合の一例で、図２の（ａ）に示す変圧器１に改造を施し、同図（ｂ）に示す変圧器１として更新（リニューアル）した場合の例であり、ここで、この図２においては、上側が上面図で下側が側面図である。
【０００９】
そして、この図２において、同図（ａ）に示した改造前の場合、変圧器１に縦形の６基の冷却器エレメント２Ａ、２Ｂ、２Ｃ、２Ｄ、２Ｅ、２Ｆを設け、冷却器列（群）とした上で、それぞれの冷却器エレメントに複数台（３台）の電動ファン３を設け、これにより必要な放熱量が確保され、設計値以下の温度に保った動作が得られるようになっている。
【００１０】
このとき、変圧器１の内部と各冷却器エレメント２Ａ〜２Ｆの間は下側の配管４と上側の配管５で接続されていて、下側の配管４には冷却媒体循環用のポンプ６が設けてあり、更に変圧器１にはコンサベータ７が設けてある。そして、これらの中にはシリコン系オイルなどの冷却媒体が充満されている。
【００１１】
そこで、ポンプ６を運転させてやることにより、冷却媒体が変圧器１の中と各冷却器エレメント２Ａ〜２Ｆの中で循環して流れ、このとき、各冷却器エレメント２Ａ〜２Ｆが電動ファン３により強制的に通風されているので、放熱が大きく促進され、この結果、均一に効率良く放熱が図られるようになっている。
【００１２】
このとき、冷却媒体は、温度差による膨張、収縮によって容積が変化する。そこで、これを吸収するためコンサベータ７を用い、これを最上部に配置しているのである。
【００１３】
ここで、いま、この図２（ａ）に示した変圧器１に対して低騒音化改造を施すためには、まず、各電動ファン３を、同図（ｂ）に示すように、低騒音型電動ファン３０に装換（取替え）しなければならないが、この場合、低騒音化による各電動ファンの通風量低下を考慮しなければならない。
【００１４】
そこで、この従来技術では、低騒音化による各電動ファンの通風量低下を補うため、低騒音型電動ファン３０の台数を多くすることにし、このため、図２（ｂ）に示すように、改造前の冷却器エレメント２Ａ〜２Ｆよりも大型の冷却器エレメント２０Ａ、２０Ｂ、２０Ｃ、２０Ｄ、２０Ｅ、２０Ｆを用意し、これらに全て装換した上で、各エレメント毎に４台の低騒音型電動ファン３０が取付けられるようにしていた。
【００１５】
【発明が解決しようとする課題】
上記従来技術は、静止誘導電気機器の低騒音化改造に伴う機器の再利用に配慮がされているとは言えず、次のような問題点がある。
【００１６】
従来技術では、低騒音型電動ファンに装換したことによる冷却能力の低下を補うため電動ファンの台数を増やしているが、このとき図２（ｂ）から明らかなように、各冷却器エレメント２０Ａ〜２０Ｆを大型化し、全数を元のエレメントと装換している。
【００１７】
このため、元からあった冷却器エレメントの再利用が図られず、冷却装置がコスト高になると共に、冷却器エレメントの高さが増加したことで、図２（ｂ）から明らかなように、配管５の形状も変えなければならなくなってしまうので、これも再利用できなくなってしまったり、コンサベータ７の位置変更が必要になってしまったりする場合があるなど、工事費と製作費などに莫大なコストがかかってしまうという問題点が生じてしまう。
【００１８】
ここで、コンサベータの位置変更が必要になってしまうのは、それの設置位置が、変圧器及び冷却系統内での冷却媒体の液面よりも常に高くなっていなければならないためである。
【００１９】
本発明の目的は、低騒音化が容易にローコストで得られるようにした静止誘導電気機器の低騒音化改造方法を提供することにある。
【００２０】
【課題を解決するための手段】
上記目的は、静止誘導電気機器の冷却器に備えられている電動ファンを低騒音型の電動ファンに装換して低騒音化を図るようにした静止誘導電気機器の低騒音化改造方法において、低騒音化改造前からある冷却器に新たな冷却器を追加することにより、電動ファンを低騒音型電動ファンに装換したことによる通風能力を補うようにして達成される。
【００２１】
このとき、低騒音改造前からある冷却器が少なくとも２基以上の縦形の冷却器エレメントで構成され、新たに追加される冷却器が前記縦形の冷却器エレメントと略同形で略同寸法の冷却器エレメントで構成されているようにしても、上記目的が達成される。
【００２２】
また、このとき、低騒音型電動ファンが、前記電動ファンのモータを低回転化したものであるようにしてもよい。
【００２３】
【発明の実施の形態】
以下、本発明による静止誘導電気機器の低騒音化改造方法について、図示の実施の形態により詳細に説明する。
【００２４】
図１は、本発明を送油風冷式の変圧器に適用した場合の一実施の形態で、図１の（ａ）に示す変圧器１に改造を施し、同図（ｂ）に示す低騒音化された変圧器１として更新した場合の例であり、ここでも上側が上面図で下側が側面図である。
【００２５】
この図１において、まず、同図（ａ）に示した改造前の場合、変圧器１に縦形の６基の冷却器エレメント２Ａ、２Ｂ、２Ｃ、２Ｄ、２Ｅ、２Ｆを設け、冷却器列とした上で、それぞれの冷却器エレメントに複数台（３台）の電動ファン３を設け、これにより必要な放熱量が確保され、設計値以下の温度に保った動作が得られるようになっている。なお、これは、図２で説明した従来技術におけける改造前の場合、つまり図２（ａ）の場合と同じである。
【００２６】
このとき、変圧器１の中と各冷却器エレメント２Ａ〜２Ｆの間は下側の配管４と上側の配管５で接続されていて、これらの中にはシリコン系オイルなどの冷却媒体が充満されている。そして、下側の配管４にはポンプ６が設けてあり、更に変圧器１にはコンサベータ７が設けられているが、これらも図２（ａ）の場合と同じである。
【００２７】
従って、ポンプ６を運転させることにより、冷却媒体が変圧器１の中と各冷却器エレメント２Ａ〜２Ｆの中で循環して流れ、この結果、均一に効率良く放熱が得られるようになっている点も、図２（ａ）の場合と同じである。
【００２８】
次に、図１（ｂ）に示す低騒音化された変圧器１について説明すると、この実施形態によるでも、低騒音化のためには、図１（ａ）の変圧器１における各電動ファン３を低騒音型電動ファンに装換するという方法をとる点では、図２で説明した従来技術と同じである。
【００２９】
しかし、このとき、この実施形態では、図１（ｂ）に示すように、改造に際してまず、各冷却器エレメント２Ａ〜２Ｆについては、そのまま残しておくという点で、大きく異なっている。
【００３０】
そして、このように、元の冷却器エレメント２Ａ〜２Ｆを残したままにした上で、更に、これら冷却器エレメント２Ａ〜２Ｆの各々と略同じ大きさの冷却器エレメント２Ｇを用意し、この冷却器エレメント２Ｇを元の冷却器エレメント２Ａ〜２Ｆからなる冷却器列の一方の端に、同じように並べて追加するのである。
【００３１】
ここで、この追加した冷却器エレメント２Ｇにも、前からある冷却器エレメント２Ａ〜２Ｆと同じく３台の低騒音型電動ファン３０が設けてあり、同じように配管４、５により変圧器１の内部に接続されている。
【００３２】
そこで、この図１（ｂ）に示す低騒音化された変圧器１では、このとき、変圧器１の中は、各冷却器エレメント２Ａ〜２Ｆに加えて冷却器エレメント２Ｇにも連通され、それも含めてシリコン系オイルなどの冷却媒体が充満されていることになる。
【００３３】
そして、下側の配管４にはポンプ６が設けてあり、更に変圧器１にはコンサベータ７が設けられている点は、図１（ａ）の改造前と変りはなく、従って、ポンプ６を運転させることにより、冷却媒体が変圧器１の中と各冷却器エレメント２Ａ〜２Ｇの中で循環して流れ、この結果、均一に効率良く放熱が得られるようになる。
【００３４】
このとき、従来技術でも説明したように、電動ファン３を単に低騒音型電動ファン３０に装換しただけでは通風量が不足してしまうので、台数を増やさなければならないが、この実施形態では、追加した冷却器エレメント２Ｇに低騒音型電動ファン３０が設けてあるので、これにより電動ファン台数の増加が得られることになり、放熱性能については、改造前と同じにすることができる。
【００３５】
ここで、このように構成された本発明の一実施形態においては、次のような効果を生じる。
【００３６】
まず、この実施形態では、改造後も、改造前の冷却器エレメント２Ａ〜２Ｆの全てがそのまま利用されているので、改造に伴って新規に補充しなければならない冷却器エレメントは、低騒音型電動ファン３０に装換したことにより生じる冷却能力の低下を補うのに必要な分だけであり、これが冷却器エレメント２Ｇである。
【００３７】
従って、この実施形態によれば、改造に伴って新たに購入を要する冷却器エレメントは追加分だけで済む上、元からある冷却器エレメント２Ａ〜２Ｆと同じ形式で、サイズも同じでよいので、コストが大幅に抑えられる。
【００３８】
ここで、電動ファン３を低騒音型電動ファン３０に装換するとはいうものの、実際には、電動ファン３のモータを低回転数のモータに交換するだけで低騒音型電動ファン３０が得られる場合が殆どである。
【００３９】
そこで、この実施形態によれば、改造後もそのまま再利用されることになる冷却器エレメント２Ａ〜２Ｆについては、改造に際して必要な作業は、電動ファン３のモータを交換する作業だけとなる。
【００４０】
従って、この実施形態によれば、冷却器エレメントの多くについては、現地での取外し作業がなくなることになり、この結果、重量物の取り扱いに必要なクレーンなど重機の現地での使用時間と作業時間の大幅な低減が図れる。
【００４１】
また、この実施形態によれば、追加される冷却器エレメントの形状が既存のものと同じにできるので、それに付随する配管類もほとんどが再使用でき、同じく高さも変らないことから、コンサベータ７の位置など、他の装備品の位置変えも最小限で済むことになる。
【００４２】
一方、既存の冷却器エレメントがそのまま再使用されるので、廃棄物の発生も最小限に抑えられ、この結果、昨今高まっている循環型社会のニーズにも大きく応えることができる。
【００４３】
ところで、上記実施形態では、１基の冷却器エレメント２Ｇが追加された場合のものであるが、本発明の実施形態に際して、追加すべき冷却器エレメントの個数が１に限られるわけではない。
【００４４】
、低騒音型電動ファンに装換したときに不足する通風能力を補うのに必要になる電動ファン（低騒音型）の台数に応じて追加すべき冷却器エレメントを２基以上にしてもよいことはいうまでもない。
【００４５】
また、上記の実施形態では、本発明が対象とする静止誘導電気機器が変圧器の場合について説明したが、リアクトルに対しても同じく本発明が実施できることもいうまでもない。
【００４６】
【発明の効果】
本発明によれば、従来の冷却装置を再使用するので、静止誘導電気機器の低騒音化改造を低価格で容易に実現することができる。
【図面の簡単な説明】
【図１】本発明による静止誘導電気機器の低騒音化改造方法の一実施形態を示す説明図である。
【図２】従来技術による静止誘導電気機器の低騒音化改造方法の一例を示す説明図である。
【符号の説明】
１  変圧器（本体）
２Ａ〜２Ｇ  冷却器エレメント
３  電動ファン
４  配管（下側）
５  配管（上側）
６  ポンプ（冷媒循環用）
７  コンサベータ
３０  低騒音型電動ファン
【図１】
2004253468.tif 000003
【図２】
2004253468.tif 000004